(57)【要約】【課題】ＲＰＶペデスタルのモジュールの範囲を拡大して、原子炉建屋での現地工程の工数を削減し、現地工程の期間を大幅に短縮する。【解決手段】原子炉圧力容器ペデスタル本体を下段のモジュールであるペデスタル１段目２０と上段のモジュールであるペデスタル２段目２０とに分割し、機材設備設置に必要な構造物を取り付けた状態のモジュールとして工場で製作し、ペデスタル１段目２０とペデスタル２段目２２を原子炉建屋に隣接する地組ヤードに搬入してから、ペデスタル１段目２０とペデスタル２段目２２に機材設備を組み込み、それぞれモジュールを拡大し、  ペデスタル１段目２０とペデスタル２段目２２を地組ヤードから原子炉建屋に搬入し、原子炉建屋内に一体化した原子炉圧力容器ペデスタルを据え付ける。【選択図】図１
2014066675.tif 000002
【特許請求の範囲】
【請求項１】
沸騰水型原子力発電所の原子炉建屋に原子炉圧力容器ペデスタルを建設する工法において、
前記原子炉圧力容器ペデスタル本体を下段のモジュールであるペデスタル１段目と上段のモジュールであるペデスタル２段目とに分割し、機材設備設置に必要な構造物を取り付けた状態のモジュールとして工場で製作し、
前記ペデスタル１段目とペデスタル２段目を前記原子炉建屋に隣接する地組ヤードに搬入してから、前記ペデスタル１段目とペデスタル２段目に機材設備を組み込み、それぞれモジュールを拡大し、
前記ペデスタル１段目とペデスタル２段目を前記地組ヤードから前記原子炉建屋に搬入し、前記原子炉建屋内に一体化した原子炉圧力容器ペデスタルを据え付けることを特徴とする原子炉圧力容器ペデスタルの建設工法。
【請求項２】
前記ペデスタル１段目には、制御棒の交換作業を行うプラットホーム設置のための構造物を、前記ペデスタル２段目には、原子炉内再循環ポンプのモータを冷却するＲＩＰ熱交換器を設置するための構造物を、それぞれ工場にてあらかじめ取り付けておくことを特徴とする請求項１に記載の原子炉圧力容器ペデスタルの建設工法。
【請求項３】
前記地組ヤードでは、前記ペデスタル１段目の底部には、下部ドライウェル基礎の鉄筋とサンプタンクおよびサンプポンプを組み込むとともに、前記構造物にプラットホームを取り付けておき、前記ペデスタル２段目の構造物には、前記ＲＩＰ熱交換器を取り付けておくことを特徴とする請求項２に記載の原子炉圧力容器ペデスタルの建設工法。
【請求項４】
前記地組ヤードでは、さらに、前記ペデスタル１段目とペデスタル２段目を一体化させ取合部の溶接を行うことを特徴とする請求項３に記載の原子炉圧力容器ペデスタルの建設工法。
【請求項５】
前記ペデスタル１段目とペデスタル２段目が一体化した原子炉圧力容器ペデスタル本体を原子炉建屋内に据付を完了した後、前記下部ドライウェル基礎にコンクリートを打設し、前記下部ドライウェル基礎の表面に床ライニングを施工することを特徴とする請求項３に記載の原子炉圧力容器ペデスタルの建設工法。
【発明の詳細な説明】
【技術分野】
【０００１】
本発明の実施形態は、原子炉圧力容器ペデスタルの建設工法に関する。
【背景技術】
【０００２】
改良型沸騰水型原子炉において原子炉圧力容器を支持する構造物は原子炉圧力容器ペデスタルと呼ばれている。図７は、原子炉圧力容器ペデスタルを示す縦断面図である。図７において、参照番号１は、原子炉圧力容器本体を示している。参照番号２は、この原子炉圧力容器ペデスタル（以下、ＲＰＶペデスタルと呼ぶ）を示し、参照番号３は、制御棒駆動機構（ＣＲＤ）を示している。
【０００３】
ＲＰＶペデスタル２は、原子炉建屋内に構築されているベースマット４の上に据え付けられる。ＲＰＶペデスタル２の内部には、下部ドライウェル（ＬＤ／Ｗ）と呼ばれる部屋が区画されている。この下部ドライウェル５の底には下部ドライウェル基礎６（以下、ＬＤ／Ｗ基礎と呼ぶ）が鉄筋コンクリートで施工されている。このＬＤ／Ｗ基礎６の表面には、ＬＤ／Ｗ床ライニング１６が敷設されている。また、ＬＤ／Ｗ基礎６には、下部ドライウェル５の底部に溜まる水を集めるサンプタンク７と、水を外部に排出するためのサンプポンプ８が設置されている。
【０００４】
ＲＰＶペデスタル２の内周面上部には、形鋼などの構造材を用いて構造物９、１０が溶接によって円周方向に延びるように取り付けられており、構造物９、１０によって原子炉内再循環ポンプ（ＲＩＰ）のモータを冷却するためのＲＩＰ熱交換器１１を設置する台となる構造物１２が支持されている。
【０００５】
また、制御棒駆動機構３の下方には、制御棒の交換や原子炉内再循環ポンプなどの交換作業等を行うためのプラットホーム１４が配置されている。このプラットホーム１４は、ＲＰＶペデスタル２の内周面に円周方向に延びるように溶接された支持構造物１５によって支持されている。
【０００６】
このようなＲＰＶペデスタル２の建設は、従来、次のような工程で行っている。  
まず、原子炉建屋内にベースマット４を施工してから、クレーンでＲＰＶペデスタル２を吊り降ろし、ＲＰＶペデスタル２をベースマット４の上に据え付ける。このＲＰＶペデスタル２を据え付ける場合、特許文献１に記載されているように、ＲＰＶペデスタル２を２分割にしたモジュールを製作しておき、１段目、２段目のモジュールを順次積み上げることが行われている。
【０００７】
ＲＰＶペデスタル２を据え付けた後、下部ドライウェル５の下部にサンプタンク７およびサンプポンプ８を設置してから、鉄筋を組みコンクリートを打設してＬＤ／Ｗ基礎６を施工することなる。
【０００８】
ＬＤ／Ｗ基礎６の施工が完了したら、次に、構造物９、１０、１２や構造物１５を搬入し、ＲＰＶペデスタルの内周面に溶接で固定する。その後、構造物１５を利用してプラットホーム１５の据え付けが行われる。
【０００９】
次いで、ＬＤ／Ｗ基礎６の表面にＬＤ／Ｗ床ライニング１６を施工し、最後に、構造物１５の上にＲＩＰ熱交換器１１を設置する。
【先行技術文献】
【特許文献】
【００１０】
【特許文献１】特開平４−５２５９５号公報
【発明の開示】
【発明が解決しようとする課題】
【００１１】
従来のＲＰＶペデスタルの建設工事においては、ＲＰＶペデスタル２をベースマット４の上に据え付けてから、サンプタンク７、サンプポンプ８の設置、ＬＤ／Ｗ基礎６の施工、プラットホーム１４の据え付け、ＲＩＰ熱交換器１１の設置に至る原子炉建屋内での一連の現地工程がある。
【００１２】
近年では、原子力発電所の建設工事のコスト削減、工程短縮は急務の要請となっており、ＲＰＶペデスタル２の建設にあっては、ＲＰＶペデスタル２を据え付け後の現地工程の短縮工数削減が大きな課題とされている。
【００１３】
そこで、本発明の目的は、ＲＰＶペデスタルのモジュールの範囲を拡大して、原子炉建屋での現地工程の工数を削減し、現地工程の期間を大幅に短縮できるようにした原子炉圧力容器ペデスタルの建設工法を提供することにある。
【課題を解決するための手段】
【００１４】
前記の目的を達成するために、本発明は、
沸騰水型原子力発電所の原子炉建屋に原子炉圧力容器ペデスタルを建設する工法において、
前記原子炉圧力容器ペデスタル本体を下段のモジュールであるペデスタル１段目と上段のモジュールであるペデスタル２段目とに分割し、機材設備設置に必要な構造物を取り付けた状態のモジュールとして工場で製作し、
前記ペデスタル１段目とペデスタル２段目を前記原子炉建屋に隣接する地組ヤードに搬入してから、前記ペデスタル１段目とペデスタル２段目に機材設備を組み込み、それぞれモジュールを拡大し、
前記ペデスタル１段目とペデスタル２段目を前記地組ヤードから前記原子炉建屋に搬入し、前記原子炉建屋内に一体化した原子炉圧力容器ペデスタルを据え付ける
ことを特徴とするものである。
【図面の簡単な説明】
【００１５】
【図１】本発明の１実施形態による原子炉圧力容器ペデスタルの建設工法において、モジュール工場で製作されるＲＰＶペデスタルの分割モジュールを示す縦断面図である。
【図２】本発明の１実施形態による原子炉圧力容器ペデスタルの建設工法において、地組ヤードで組み立てられるＲＰＶペデスタル１段目を示す縦断面図である。
【図３】本発明の１実施形態による原子炉圧力容器ペデスタルの建設工法において、地組ヤードで組み立てられるＲＰＶペデスタル２段目を示す縦断面図である。
【図４】本発明の１実施形態による原子炉圧力容器ペデスタルの建設工法において、地組ヤードで組み立てられたＲＰＶペデスタルを示す縦断面図である。
【図５】本発明の１実施形態による原子炉圧力容器ペデスタルの建設工法において、原子炉建屋内に据え付けられたＲＰＶペデスタルを示す縦断面図である。
【図６】本発明による原子炉圧力容器ペデスタルの原子炉建屋内での工程と従来の工程を比較した工程図である。
【図７】一般的な原子炉圧力容器ペデスタルを示す縦断面図である。
【発明を実施するための最良の形態】
【００１６】
以下、本発明による原子炉圧力容器ペデスタルの建設工法の一実施形態について、添付の図面を参照しながら説明する。  
本実施形態による原子炉圧力容器ペデスタルの建設工法では、ＲＰＶペデスタル本体を２つのモジュールに分割して製作する。その後、現地の原子炉建屋に隣接している地組ヤードでの工程、原子炉建屋内での工程が行われる。
【００１７】
モジュール工場での工程
まず、図１は、モジュール工場で製作されるモジュール化されたＲＰＶペデスタル２の分割モジュールを示す図である。  
この実施形態では、ＲＰＶペデスタル２は、本体の大部分を占める下段部を構成するＲＰＶペデスタル１段目２０と、本体の上段部を構成するＲＰＶペデスタル２段目２２とに分割して製作される。
【００１８】
モジュール工場では、ＲＰＶペデスタル１段目２０の内周面に、プラットホーム１４を設置するために鋼材を組み上げて構造物１５を溶接する。ＲＰＶペデスタル１段目２０の上部には、ＲＩＰ熱交換器１１を支持するための構造材９を溶接しておく。
【００１９】
同様に、ＲＰＶペデスタル２段目２２の内周面には、ＲＩＰ熱交換器１１を設置するための構造物１２を溶接する。
【００２０】
このようにして、モジュール工場では、それぞれＲＰＶペデスタル１段目２０とＲＰＶペデスタル２段目２２は、それぞれ下部ドライウェルでの機材・設備設置のための構造物があらかじめ取り付けられた状態にモジュール化される。
【００２１】
以上のようにしてモジュール化されたＲＰＶペデスタル１段目２０と、ＲＰＶペデスタル２段目２２は、それぞれ現地原子炉建屋に隣接している地組ヤードに搬送される。
【００２２】
地組ヤードでの工程
次に、地組ヤードで行われるモジュール化する範囲の拡大工程について図２、図３を参照しながら説明する。  
図２は、地組ヤードでの機材・設備組込作業が行われてモジュール範囲の拡大されたＲＰＶペデスタル１段目２０を示す。
【００２３】
地組ヤードでの主要な工程としては、ＬＤ／Ｗ基礎を施工するために、鉄筋を組む工程がある。図２に示されるように、コンクリート型枠でＬＤ／Ｗ基礎の外形を区画するとともに、鉄筋３２を縦横に組み立てる。補強の必要な箇所には、余分に鉄筋筋を入れて補強しておく。
【００２４】
そして、サンプタンク７およびサンプポンプ８の設置箇所には、サンプタンク３とサンプポンプ４を仮に設置しておく。このとき、サンプタンク３とサンプポンプ４を設置するのに用いるブラケットなどの取付部材は強固に補強しておく。
【００２５】
次いで、モジュール工場で既にＲＰＶペデスタル１段目２０に取り付けられている構造物１５にプラットホーム１４を搭載する。この段階では、ＲＰＶペデスタル１段目２０の上にはＲＰＶペデスタル２段目２２は載せられておらず別々になっているので、プラットホーム１４は分割することなく一体の状態でＲＰＶペデスタル１段目２０に据え付けることができる。
【００２６】
次に、図３は、地組ヤードでの機材・設備組込作業が行われてモジュール範囲の拡大されたＲＰＶペデスタル２段目２２を示す。
【００２７】
このＲＰＶペデスタル２段目では、既にモジュール工場で溶接されている構造物１２の上に、複数台のＲＩＰ熱交換器１１を所要の位置に設置するとともに、固定箇所を強固に補強しておく。
【００２８】
こうしてＲＰＶペデスタル１段目２０、ＲＰＶペデスタル２段目２２のそれぞれについてモジュール化する範囲の拡大作業が終了したら、次に、図４に示されるように、地組ヤードにおいて、ＲＰＶペデスタル２段目２２をクレーンで吊り上げて、ＲＰＶペデスタル１段目２０の上に載せ、取合部の溶接を行って両者を一体化する。その後、ＲＰＶペデスタル１段目２０とＲＰＶペデスタル２段目２２にまたがる構造物１０を構造物９、１０の間に溶接する。
【００２９】
現地据付工程
次に、現地原子炉建屋内での据付工程について図５を参照しながら説明する。  
原始炉建屋内では、ＲＰＶペデスタル２の据付に先だって、ベースマット４の施工を完了しておく。  
地組ヤードでＲＰＶペデスタル１段目とＲＰＶペデスタル２段目とが一体化されたＲＰＶペデスタル２は、クレーンで吊り上げられて、原子炉建屋内でベースマット４の上に据え付けられる。その後、既に組んである鉄筋にコンクリートを打設しＬＤ／Ｗ基礎６の施工をする。最後に、ＬＤ／Ｗ基礎６の上に床ライニング１６を施工する。
【００３０】
ここで、図６は、原子炉建屋での従来の一般的なＲＰＶペデスタル建設工事の工程と、本実施形態による工程とを対比した工程図である。  
従来の工程では、原子炉建屋内にＲＰＶペデスタル２を据え付けた後に、サンプタンク７とサンプポンプ８の据付、鉄筋を組みコンクリートを打設するＬＤ／Ｗ基礎６の施工、機器を設置するための構造物の据付、プラットホーム１４の据付、ＲＩＰ熱交換器１１の据付といった工程を行っていた。
【００３１】
これに対して、本実施形態によれば、ＲＰＶペデスタル２を原子炉建屋内に据え付けたは、原子炉建屋内で従来行われていた工程のほとんどが不要となり、ＬＤ／Ｗ基礎６のコンクリート打設と、床ライニング１６の２工程だけを行えばよいので、原子炉建屋内での現地工程の工数を大幅に削減し、従来の９ヶ月から１ヶ月程度に工程期間を短縮することが可能になった。
【００３２】
以上、本発明に係る原子炉圧力容器ペデスタルの建設工法について、好適な実施形態を挙げて説明したが、これらの実施形態は、例示として挙げたもので、発明の範囲の制限を意図するものではない。もちろん、明細書に記載された新規な装置、方法およびシステムは、様々な形態で実施され得るものであり、さらに、本発明の主旨から逸脱しない範囲において、種々の省略、置換、変更が可能である。請求項およびそれらの均等物の範囲は、発明の主旨の範囲内で実施形態あるいはその改良物をカバーすることを意図している。
【符号の説明】
【００３３】
１…原子炉圧力容器本体、２…原子炉圧力容器ペデスタル、３…制御棒駆動機構、４…ベースマット、５…下部ドライウェル（ＬＤ／Ｗ）、６…下部ドライウェル基礎（ＬＤ／Ｗ基礎）、７…サンプタンク、８…サンプポンプ、９…構造物、１０…構造物、１１…原子炉内再循環ポンプ熱交換器（ＲＩＰ熱交換器）、１２…構造物、１４…プラットホーム、２０…原子炉圧力容器ペデスタル１段目（ＲＰＶペデスタル１段目）、２２…原子炉圧力容器ペデスタル１段目（ＲＰＶペデスタル１段目）
【図１】
2014066675.tif 000003
【図２】
2014066675.tif 000004
【図３】
2014066675.tif 000005
【図４】
2014066675.tif 000006
【図５】
2014066675.tif 000007
【図６】
2014066675.tif 000008
【図７】
2014066675.tif 000009